(57)【要約】 【課題】  障害者が加工作業に参加しやすく、かつ、ゴミ袋としての強度も損なわれにくい、視覚障害者があけ口を容易に判別することが可能なゴミ袋を提供する。【解決手段】  複数の凹凸状の穴からなる識別マークを、開口部側に少なくとも三つ設けることによって、従来の一つ又は二つの識別マークを設けるタイプに比べて視覚障害者が触ったときに識別マークに触れやすくなるので、開口部（あけ口）がどこにあるかを判別しやすくなる。また、凹凸状の穴が滑り止めとして働く識別マークの数が増えることによって、開口部の開けやすさも向上することとなる。こうした識別マークは簡易な構造のプレス機を用いた作業で形成できるため、障害者の就労支援にも資するものとなる。【選択図】        図１
0003208030.tif 000002
【実用新案登録請求の範囲】
【請求項１】
長方形の形状でその一辺を開口部とするゴミ袋において、
複数の凹凸状の穴からなる識別マークが、開口部となる辺に沿って少なくとも三つ設けられていること
を特徴とするゴミ袋。
【請求項２】
開口部に沿って設けられる三つの識別マークのうち、一の識別マークは、その中心を開口部となる辺の中央部と結ぶ線が開口部となる辺とほぼ垂直となる位置に、他の二の識別マークは、前記一の識別マークから等間隔を空けた両側の開口部となる辺に沿った位置に、それぞれ配置されること
を特徴とする請求項１記載のゴミ袋。
【請求項３】
開口部に沿って設けられる三つの識別マークは、開口部となる辺に平行する辺が長辺となる長方形の領域内に複数の凹凸状の穴が設けられた同一の形状のマークであって、
前記長辺の長さと、前記一の識別マークと前記他の二つの識別マークの間隔は、ほぼ同じ長さとなり、前記他の二つの識別マークは、ゴミ袋の開口部となる辺と直角に交わるゴミ袋の両端側の辺に接しない位置に配置されること
を特徴とする請求項２記載のゴミ袋。
【考案の詳細な説明】
【技術分野】
【０００１】
本考案は、視覚障害者があけ口を容易に判別しやすいゴミ袋に関するものである。
【背景技術】
【０００２】
一般家庭等で用いられるゴミ収集用のゴミ袋には、透明又は半透明のポリエチレン製（炭酸カルシウムが添加されることもある）で長方形の袋が用いられることが一般的である。こうしたゴミ袋は、ポリエチレン製の筒状のシートの下方をヒートシール等により閉塞することによって、長方形の一辺が開口部（あけ口）となる形状が形成される。
【０００３】
使用前のゴミ袋は、通常は開口部が閉じられた状態で折り畳んで出荷されるため、開口部が密着していて開けにくく、触っただけではどの部分が開口部であるかも判別しにくい。開口部側に「あけ口」等の表記をすることによって、どの部分が開口部であるかを判別しやすくはなるが、視覚障害者は文字等の表記では判別することができないため、開口部を手探りで探すしかないことが悩みとなっている。
【０００４】
視覚障害者の事情に配慮したゴミ袋としては、例えば、ゴミ袋の上端から下端までエンボス加工により連続したエンボス模様を設け、エンボス模様の形状によって可燃物用、不燃物用、空き缶用等のゴミ袋の種別を識別できるゴミ袋に関する発明（特許文献１参照）や、手提げ用の輪状部に点字を模した穴の読解信号を設け、視覚障害者がゴミ袋の種別を識別できるゴミ袋に関する発明（特許文献２参照）が開示されている。
【０００５】
しかしながら、これらの発明はいずれもゴミ袋の種別を識別する目的で、ゴミ袋に視覚障害者が識別可能なマークを設けるものであり、これらによって視覚障害者が開口部の位置を判別できるものではない。出願人はこうした課題に対処するために、長方形のゴミ袋の開口部の近くに、プレス機を用いたエンボス加工により複数の凹凸状の穴からなる二つの識別マークを設けることによって、この識別マークに触れることによって視覚障害者が開口部のある位置を判別しやすくなるとともに、開口部を開ける際には滑り止めとなって開口部の開けやすさにも資するゴミ袋を考案することとなり、このゴミ袋に関する意匠について意匠登録を受けた（特許文献３参照）。
【０００６】
【特許文献１】特開２００６−２４８７０６号公報
【特許文献２】特開平７−２７７４０５号公報
【特許文献３】意匠登録第１４６７２５２号公報
【考案の開示】
【考案が解決しようとする課題】
【０００７】
特許文献３に記載されているように、長方形のゴミ袋の開口部側に識別マークを設けることとすれば、視覚障害者が開口部のある位置を判別しやすくなる。こうしたゴミ袋であれば、複数の凹凸状の穴からなる定型のエンボス加工を施すプレス機を用いた簡単な作業によって、自治体等が指定する一般的なゴミ袋を用いて製作することが可能であるため、出願人はこうした加工作業を障害者の就労支援施設に委託している。しかし、一回のプレスで一つの識別マークしか形成できないプレス機を用いる場合は、二つの識別マークの位置決めが障害者には難しい作業となることがある一方、一回のプレスで二つの識別マークを形成できるプレス機だとプレス機の製造コストが高くなってしまうため、就労支援施設での導入が難しくなるという問題が生じる。
【０００８】
そこで、改良版として、識別マークを開口部側の中央部１ヶ所のみとしたゴミ袋も商品化することとなったが、識別マークの数が減った分、視覚障害者がゴミ袋を触っても識別マークに触れにくくなったため、今度は、従来のタイプより使いにくいといった意見が届くようになっている。ゴミ袋を触ったときに識別マークに触れる確率をより高めるためには、例えば、特許文献１に記載されているようなエンボス模様を、開口部となる辺に沿って帯状に設けることも考えられるが、そうした模様の形成にはより高度なプレス機等が必要になり、障害者の就労支援施設の作業では対応できなくなってしまうことに加えて、使用時に両端を引き寄せて縛ることが一般的な開口部側に多くの凹凸を設けると、その部分が破れやすくなってしまうという問題も生じることになる。
【０００９】
本考案は、このような課題を解決するためになされたものであり、障害者が加工作業に参加しやすく、かつ、ゴミ袋としての強度も損なわれにくい、視覚障害者があけ口を容易に判別することが可能なゴミ袋を提供することを目的とするものである。
【課題を解決するための手段】
【００１０】
このような課題を解決する本考案は、長方形の形状でその一辺を開口部とするゴミ袋において、複数の凹凸状の穴からなる識別マークが、開口部となる辺に沿って少なくとも三つ設けられていることを特徴とするゴミ袋である。
【００１１】
本考案では、複数の凹凸状の穴からなる識別マークを、開口部側に少なくとも三つ設けることによって、従来の一つ又は二つの識別マークを設けるタイプに比べて視覚障害者が触ったときに識別マークに触れやすくなるので、開口部（あけ口）がどこにあるかを判別しやすくなる。また、凹凸状の穴が滑り止めとして働く識別マークの数が増えることによって、開口部の開けやすさも向上することとなる。
【００１２】
また、本考案の好ましい形態では、開口部に沿って設けられる三つの識別マークのうち、一の識別マークは、その中心を開口部となる辺の中央部と結ぶ線が開口部となる辺とほぼ垂直となる位置に、他の二の識別マークは、前記一の識別マークから等間隔を空けた両側の開口部となる辺に沿った位置に、それぞれ配置されることを特徴とする。
【００１３】
このように構成すると、開口部側に設けられる識別マークがバランス良く配置されることになるので、開口部側であればどの位置を触ったとしても、識別マークに触れる確率を高めることが可能になる。
【００１４】
さらに、本考案の好ましい形態では、開口部に沿って設けられる三つの識別マークは、開口部となる辺に平行する辺が長辺となる長方形の領域内に複数の凹凸状の穴が設けられた同一の形状のマークであって、前記長辺の長さと、前記一の識別マークと前記他の二つの識別マークの間隔は、ほぼ同じ長さとなり、前記他の二つの識別マークは、ゴミ袋の開口部となる辺と直角に交わるゴミ袋の両端側の辺に接しない位置に配置されることを特徴とする。
【００１５】
識別マークをこのような配置とすると、視覚障害者がゴミ袋をどちら側から触っても、識別マークに触れる確率を高くなるともに、識別マークの周辺に凹凸状の穴が設けられていない部分が一定程度確保されるため、ゴミ袋の強度も損ないにくい構成となる。
【考案の効果】
【００１６】
本考案によると、識別マークを設けた従来タイプのゴミ袋以上に、視覚障害者があけ口を容易に判別しやすいゴミ袋を提供することが可能になる。また、識別マークの形成作業は、簡易な構造のプレス機の操作によって行うことができるため、障害者の就労支援にも資することも期待できる。
【図面の簡単な説明】
【００１７】
【図１】本考案に係るゴミ袋の実施形態の一例を示す図である。
【図２】本考案に係るゴミ袋の構成を示す図である。
【図３】図２の開口部（あけ口）側を拡大した図である。
【図４】本考案に係るゴミ袋に識別マークを形成するために用いられるプレス機の一例を示す図である。
【図５】本考案に係るゴミ袋に識別マークを形成する作業を行っている状況の一例を示す図である。
【考案を実施するための形態】
【００１８】
本考案の実施の形態について、図１−図５を用いて以下に詳細に説明する。尚、以下に説明する実施形態は、本考案にかかるゴミ袋の一例を示したものであって、ゴミ袋や識別マークの形状や大きさ等は、図１−図５に示した例に限定されるものではない。
【００１９】
図１は、本考案に係るゴミ袋の実施形態の一例を示している。本考案は、ポリエチレン製の筒状のシートを裁断し、一方の切り口をヒートシール等により閉塞することによって、正面から見ると長方形の形状で、その一辺がゴミを挿入する開口部（あけ口）となったゴミ袋に適用することができる。
【００２０】
こうしたゴミ袋は、自治体等の指定ゴミ袋として広く用いられているものであるが、以下においては、一般的な大・中・小の区分のうち、「大」（４５リットル）のサイズに該当する、縦８００mm×横６５０mmのゴミ袋に本考案を適用する例を前提にして説明する。但し、本考案は「大」（４５リットル）のサイズのゴミ袋のみを対象にするものではなく、長方形（正方形を含む）の形状のゴミ袋であれば適用することが可能である。
【００２１】
本考案に係るゴミ袋は、図１の例に示したように、開口部（あけ口）となる辺に沿って、複数の凹凸状の穴からなる識別マークが三つ設けられることを特徴としている。これらの識別マークは、こうした識別マークが設けられていない一般的なゴミ袋に、プレス機を用いたエンボス加工を施すことによって形成されるものである。
【００２２】
識別マークに設けられる各々の凹凸状の穴は、ゴミ袋の表面を一方からプレスすることによって、他方の表面が隆起して形成されるが、こうした穴を複数形成することによって、視覚障害者がゴミ袋に触れると点字のような感覚でその存在を認識することができるため、どちら側の辺が開口部であるかを容易に判別することができる。また、識別マークの部分を指ではさんでずらすように動かすと、これらの穴の隆起がすべり止めとなって開口部を開けやすくなるという、視覚障害者のみに限られない一般的な効果も生じさせるものとなっている。
【００２３】
本考案では、こうした識別マークを、開口部に近い位置の中央部（その中心を開口部となる辺の中央部と結ぶ線が開口部となる辺とほぼ垂直となる位置）と、その両側（中央部の識別マークから等間隔を空けた両側の開口部となる辺に沿った位置）に設けることが好ましく、識別マークをこのように配置することによって、視覚障害者が開口部側を右から触った場合、左から触った場合、中央付近から触った場合のいずれのケースにおいても、開口部がどこにあるかを容易に判別することが可能となっている。
【００２４】
図２と図３は、こうした特徴を有する本考案に係るゴミ袋の構造と識別マークの配置の例を、より詳細に示したものである。図２に示したように、正面から見て長方形の形状となるゴミ袋１の下側の辺の位置には、筒状のシートがヒートシール等により閉塞された底部３が形成され、その逆側（上側）の辺となる位置には、ゴミを挿入するための開口部２が形成されている。
【００２５】
開口部２に近い位置には、開口部２となる辺に沿って、先に説明した複数の凹凸状の穴からなる識別マーク４１、４２、４３が設けられている。これらの識別マークの好適な配置について、図３に詳しく示しているが、自治体等の指定ゴミ袋の一般的な「大」（４５リットル）のサイズに該当する、縦８００mm×横６５０mmのゴミ袋であれば、縦５０mm×横１１０mm程度の長方形の領域に、直径４mm程度の凹凸状の穴を、縦５個×横１８個程度形成することが好ましい。
【００２６】
この大きさの識別マークを設ける場合、各々の識別マークの配置については、識別マーク４２の中心をゴミ袋１の縦の中央線上に配置する（つまり、識別マーク４２が、識別マーク４２の中心を開口部２となる辺の中央部と結ぶ線が開口部２となる辺とほぼ垂直となる位置に配置される）前提で、識別マーク４１と左端の間隔（図３のａ）、識別マーク４３と右端の間隔（図３のｄ）をそれぞれ５０mm程度とすれば、中央部の識別マーク４２とその左側の識別マーク４１の間隔（図３のｂ）、中央部の識別マーク４２とその右側の識別マーク４３の間隔（図３のｃ）は、いずれも１１０mm程度でほぼ等間隔となる。
【００２７】
識別マーク４１、４２、４３と開口部２となる辺との間隔（図３のｅ）は、開口部２になるべく近接させることが好ましいが、その間隔があまりに短いと、凹凸を形成することにより比較的弱くなっている識別マークの部分からゴミ袋が破れてしまいやすくなるため、１５mm程度とすることが好ましい。
【００２８】
以上に説明したように識別マーク４１、４２、４３を配置にすると、視覚障害者がいずれの部分を触った場合にも識別マークを判別しやすくなる一方で、開口部２側の識別マークの周囲に凹凸が形成されていない領域がある程度確保されるため、開口部２側の強度も保つことが可能となっている。前者の観点を優先すれば、例えば、開口部２となる辺に沿って帯状の識別マークを施すことによって、より高い確率で識別マークを判別することが可能になるものの、後者の観点からは開口部２側の強度が著しく低下し、特に開口部２の両端を引き寄せて縛る際にゴミ袋１が破れやすくなってしまうことになるため、両者のバランスを考慮すると、図３に示したような配置が好適となる。
【００２９】
尚、識別マークの数は、例示した三つに限られるものではないが、各々の識別マークを小型化してより多くの識別マークを設けることとする場合、後に説明するプレス作業の工程が増加しすぎてしまうことになる（あるいは、複数の識別マークを同時に形成できる、より製造コストが高いプレス機が必要になる）ので、三つとすることが好適と考えられる。
【００３０】
図４は、本考案に係るゴミ袋に識別マークを形成するために用いられるプレス機の例を示している。図５に示したように、作業者が握り手部分を引き下げる操作を行うことによって、エンボス加工が施されて識別マークを形成することができる、こうした簡易な構造のプレス機を採用して、一般的なゴミ袋に識別マークを形成したゴミ袋を製造することとすれば、こうした作業は視覚障害者等の障害者が担当することができるため、障害者の就労支援に役立てることが可能となる。
【符号の説明】
【００３１】
１    ゴミ袋
２    開口部
３    底部
４１  識別マーク
４２  識別マーク
４３  識別マーク
【図１】
0003208030.tif 000003
【図４】
0003208030.tif 000004
【図５】
0003208030.tif 000005
【図２】
0003208030.tif 000006
【図３】
0003208030.tif 000007